(57)【要約】【課題】照明器具の複数の操作パターンを選択し設定可能とすることによって、部品を共通化し、コストの低減化を図る。【解決手段】本発明の遠隔制御用監視端末器１０は、ケース本体２０と；少なくとも一つ以上の押圧検知領域１２aが設定され、この押圧検知領域１２aの押圧操作に応じて押圧検知信号を出力するタッチ基板３０と、前記タッチ基板３０の表面側に配設される操作パネル３１と、前記タッチ基板３０と電気的に接続されて前記基板の裏面側に配設されるコネクタ部３２と、を有し前記ケース本体２０に対して着脱可能に取付けられる基板ユニット３４と；前記ケース本体２０に配設され、前記コネクタ部３２と着脱可能であるとともに、押圧検知信号に対応する操作信号を出力する伝送部１４と；を具備する。【選択図】図２
2010080274.tif 000002
【特許請求の範囲】
【請求項１】
ケース本体と；
少なくとも一つ以上の押圧検知領域が設定され、この押圧検知領域の押圧操作に応じて押圧検知信号を出力するタッチ基板と、前記タッチ基板の表面側に配設される操作パネルと、前記タッチ基板と電気的に接続されて前記基板の裏面側に配設されるコネクタ部と、を有し前記ケース本体に対して着脱可能に取付けられるタッチ基板ユニットと；
前記ケース本体に配設され、前記コネクタ部と着脱可能であるとともに、押圧検知信号に対応する操作信号を出力する伝送部と；
を具備したことを特徴とする遠隔制御用監視端末器。
【請求項２】
複数の照明器具と；
請求項１に記載の遠隔制御用監視端末器と；
伝送線に接続され、前記遠隔制御用監視端末器から出力された操作信号を受信し、この操作信号に基づき伝送線を介して照明器具を制御する中央処理装置と；
を具備したことを特徴とする照明制御システム。
【発明の詳細な説明】
【技術分野】
【０００１】
本発明は、例えば建物内の天井面に配設された複数の照明器具に操作信号を出力して遠隔操作する遠隔制御用監視端末器及び照明制御システムに関する。
【背景技術】
【０００２】
一般に、例えば建物内の天井面に配設された複数の照明器具は、遠隔操作可能な遠隔制御用監視端末器の手動操作に応じて操作信号が出力され、この操作信号  を受信した中央処理装置によってオン／オフが制御される。
【０００３】
このような遠隔制御用監視端末器は、ケース本体とこのケース本体に取り付けられる遠隔操作用の操作部とで構成されたスイッチ装置を主要部とし、このスイッチ装置を壁等に配設された固定枠の規格化された開口部に取り付けられている（例えば、特許文献１参照）。
【０００４】
また、操作部は、複数の照明器具の内、所定の照明器具を遠隔操作する操作パターンに応じて形成されており、例えば、グループ毎の照明器具を夫々遠隔操作するための複数種の操作スイッチ等を有して構成されている。
【０００５】
このように、操作部には所定の操作パターンに応じて複数種類のものがあるため、この操作部が取り付けられるケース本体も複数種のものがあり、取り付けられる操作部に合った形状のケース本体が使用されるようになっている。
【特許文献１】特許第３０４７３３３号公報
【発明の開示】
【発明が解決しようとする課題】
【０００６】
しかしながら、従来の遠隔制御用監視端末器では、種類毎に応じた形状の操作部を必要としていたため、操作部の種類毎の金型及び在庫の確保が必要となるため、コストが高価になってしまうといった問題点があった。
【０００７】
また、遠隔制御用監視端末器を交換等する場合には壁面等に取付けられた固定枠を取り外した後に主要部であるスイッチ装置を交換するという作業が必要になり作業が非常に面倒である。
【０００８】
本願発明は、上記課題に鑑みなされたもので、照明器具の複数の操作パターンを選択し設定可能とすることができるとともに取り外しが容易な遠隔制御用監視端末器およびこの遠隔制御用監視端末器を用いた照明制御システムを提供することを目的とする。
【課題を解決するための手段】
【０００９】
本発明の請求項１に係る遠隔制御用監視端末器は、ケース本体と；少なくとも一つ以上の押圧検知領域が設定され、この押圧検知領域の押圧操作に応じて押圧検知信号を出力するタッチ基板と、前記タッチ基板の表面側に配設される操作パネルと、前記タッチ基板と電気的に接続されて前記基板の裏面側に配設されるコネクタ部と、を有し前記ケース本体に対して着脱可能に取付けられるタッチ基板ユニットと；前記ケース本体に配設され、前記コネクタ部と着脱可能であるとともに、押圧検知信号に対応する操作信号を出力する伝送部と；を具備したことを特徴とする。
【００１０】
タッチ基板は、例えば人が直接的または間接的に接触したことを電気的に検知可能であればよい。また、操作パネルは、誘電率と厚さを適宜選択することによってタッチ基板による押圧検知が可能となり、例えばアクリル、紙、木、などを使用することができる。
なお、タッチ基板は押圧検知領域に対応する押圧検知信号を出力可能に構成されており、押圧検知領域は適宜設定することができる。
【００１１】
例えば、１回路用の場合にはタッチ基板の全面のいずれの箇所を押圧しても同一の押圧検知信号を出力し、２回路用の場合には２つの押圧検知領域を設定し、それぞれの領域によって異なる押圧検知信号を出力するように構成することができる。
【００１２】
押圧検知信号とは、所定の押圧検知領域が押圧操作されたことを伝達する信号であってもよいし、照明器具等のグループや個別の照明器具を点消灯させる操作信号であってもよい。
【００１３】
伝送部は、押圧検知信号を処理し照明器具を点消灯させる操作信号を出力してもよいし、押圧検知信号が操作信号である場合にはその信号を中継して操作信号を出力する機能を有していてもよい。
【００１４】
タッチ基板ユニットには、操作する箇所を視覚的または手触り等の触覚的に識別可能に表示した操作表示部を設けることが好ましい。例えば、操作パネルに直接印刷したものや、紙にプリントしたものを操作パネルに貼り付け、または操作パネルとタッチ基板との間で狭持したものであってもよい。
なお、操作表示部は、例えば１回路用、２回路用、３回路用、４回路用など複数パターンを用意しておき適宜変更が可能である。
この操作表示部のパターンに応じて、タッチ基板は、押圧検知領域を設定し、設定した押圧検知領域に応じた押圧検知信号を出力可能に構成されている。
【００１５】
コネクタ部とは、相手の接続部と電気的および機械的に接続されるものであり、タッチ基板の裏面側に直接配設してもよいし、タッチ基板からリード線等を介して接続してもよい。
【００１６】
タッチ基板ユニットをケース本体に対して着脱可能に取付けるとは、例えば、コネクタ部と伝送基板との接続によってタッチ基板ユニットをケース本体に保持する構成でもよいし、タッチ基板ユニットとケース本体にそれぞれ係合部を設けて、これらの係合部を嵌合させてタッチ基板ユニットをケース本体に保持する構成でもよい。
【００１７】
本発明の遠隔制御用監視端末器は、中央処理装置に対し、伝送線を介して、各種端末器、センサ端末器、人感センサ等が接続される遠隔監視制御システムに適用可能であるが、この遠隔監視制御システムに限定されることはなく、通常室内に設置された照明負荷を点灯制御又は消灯制御するための壁スイッチ等にも適用可能である。
【００１８】
本発明の請求項２に係る照明制御システムは、複数の照明器具と；請求項１に記載の遠隔制御用監視端末器と；伝送線に接続され、前記遠隔制御用監視端末器から出力された操作信号を受信し、この操作信号に基づき伝送線を介して照明器具を制御する中央処理装置と；を具備したことを特徴とする。
【発明の効果】
【００１９】
請求項１の本発明によれば、部品を共通化し、コストの低減化を図ることが可能となるとともにタッチ基板ユニットをケース本体に対して着脱可能に構成したことによって、タッチ基板ユニットのメンテナンスや交換が容易となる。
請求項２の発明によれば、請求項１に記載の効果を有する遠隔制御用監視端末器を用いた照明制御システムを提供することができる。
【発明を実施するための最良の形態】
【００２０】
以下、図面を参照して本発明の実施の形態を説明する。
【００２１】
図１から図８は本発明の遠隔制御用監視端末器の一実施の形態に係り、図１は遠隔制御用監視端末器を有する遠隔監視制御システムの全体的構成図、図２は遠隔制御用監視端末器の正面図、図３は遠隔制御用監視端末器の電気的な回路構成を示すブロック図、図４は遠隔制御用監視端末器のケース本体の説明図、図５は遠隔制御用監視端末器を長手方向の側方から見たときの断面図、図６、図７は遠隔制御用監視端末器の組立工程を説明するための説明図、図８は固定枠とタッチ基板との取付け位置を示す説明図である。
【００２２】
図１に示す遠隔監視制御システムは、中央処理装置１を有している。この中央処理装置１には、２線伝送線２を介して制御端末器３、後述する遠隔制御用監視端末器１０が設けられている。
【００２３】
中央処理装置１は、本システムを統括的に制御するもので、マイクロコンピュ−タを備えて構成されている。中央処理装置１は、遠隔制御用監視端末器１０と制御端末器３に接続されている照明負荷４との対応関係（割り付け）を記憶するメモリ（図示せず）を有している。
また、中央処理装置１は、アドレス設定手段及びそのアドレスを表示する表示部を有しており、各制御端末器３のアドレスを設定することができる。
制御端末器３は、例えば４回路の照明負荷４が接続可能で、このような制御端末器３が伝送線２に複数接続されている。
遠隔制御用監視端末器１０は、例えば壁スイッチのように照明負荷を遠隔操作で点灯／消灯制御、及び監視制御するものである。
【００２４】
このような遠隔制御システムは、中央処理装置１によって、制御端末器３、遠隔制御用監視端末器１０等のアドレス設定や、中央処理装置１内のメモリ（図示しない）内に格納するデータの設定を行うことができるとともに、遠隔制御用監視端末器１０によって照明負荷の点灯／消灯制御が可能である。
【００２５】
図２に示すように、遠隔制御用監視端末器１０は、中央が開口した枠状のプレート１１及びプレート１１の開口と外形がほぼ同寸法に形成された操作部１２を有している。
【００２６】
操作部１２は、後述するタッチ基板、操作パネル、操作表示部からなるタッチパネル方式を採用しており、使用者が押圧したことを電気信号に変換し、押圧検知信号として出力するものである。つまり、タンブラースイッチのようなスイッチ機構が摺動する部分がなく、構成部品が可動によって摩耗することがない。
【００２７】
また、操作部１２は押圧検知領域を少なくとも一つ以上設定することができ、例えば本実施形態では４つの押圧検知領域１２a、１２a、１２a、１２aを設定している。
各押圧検知領域１２aが押圧操作されると、それぞれに対応する操作信号が出力され、伝送線２を介して中央処理装置１に送信される。
【００２８】
中央制御装置１は、各押圧検知領域１２aに対応する操作信号に対して監視対象となる照明負荷４を対応付けることができ、一つの押圧検知領域１２aによって複数の照明負荷４からなるグループ制御を行うことができる。
【００２９】
例えば、ここでは４つの押圧検知領域１２aを設定しているので、遠隔制御用監視端末器１０によって４つのグループをそれぞれ一括して監視制御することができる。
なお、押圧検知領域１２aと照明負荷４とを一対一で対応付けすることにより個別制御も可能である。
また、操作部１２は、各押圧検知領域１２aに対応して操作表示部１２b、点灯表示部１２cが設けられている。
【００３０】
操作表示部１２bは、制御対象となるグループを識別するための表示部分であり、ここではグループ制御の対象となる部屋の種別を印刷した紙を操作部１２に接着している。
この操作表示部１２bは押圧検知領域１２aの設定に応じて、使用者が適宜変更できるものである。
【００３１】
点灯表示部１２cは、各押圧検知領域１２aに対して異なる発光色からなる１組の光源が設けられており制御監視対象となる照明負荷の点灯状態、消灯状態に応じてどちらか一方の光源が点灯するように構成されている。
次に、このような構成の遠隔制御用監視端末器１０の所要部となる電気的な回路構成、及び作用について、図３を参照して説明する。  
【００３２】
図３に示すように、遠隔制御用監視端末器１０は、操作部１２を構成するタッチ基板３０と、タッチ基板３０が押圧操作を検知した信号を処理するタッチ処理部１３と、伝送部１４と、表示部を構成する表示用発光素子１５と、設定端子１６と、電源部１７とを有して構成されている。
【００３３】
なお、タッチ処理部１３は遠隔制御用監視端末器１０の信号処理は各種設定作等を行う制御部として機能するものであるが、タッチ基板３０または伝送部１４と同一基板上に一体的に設けられたものであってもよいし、別体として構成されたものであってもよい。
【００３４】
また、電源部１７は、図１の中央処理装置１から伝送線２を介して伝送された電圧信号に基づき、遠隔制御用監視端末器１０が駆動するのに必要な電力を得て、図３中の各ブロックに電力を供給している。  
【００３５】
タッチ基板３０は、操作部１２が押圧操作されることにより、この押圧操作された押圧検知領域１２aに対応する押圧検知信号をタッチ処理部１３に出力する。タッチ処理部１３は、この検出信号を受信すると操作信号を生成し伝送部１４に出力する。
伝送部１４は、操作信号を伝送線２上に接続される中央制御装置１、制御端末器３、又は各照明負荷に対して出力する。
【００３６】
操作信号を受信した中央処理装置１は、制御端末器３に対して点消灯信号を出力するとともに、遠隔制御用監視端末器１０に対して制御端末器３を制御したことを伝える信号を出力する。遠隔制御用監視端末器１０はこの信号を受信すると、表示用発光素子１５の点消灯状態を反転させて、現在の照明負荷の制御状態を表示する。
設定端子１６は、タッチ基板３０の押圧検知領域１２aの設定を変更するための端末機器を接続することができる端子である。
次に、このような遠隔制御用監視端末器１０の具体的な構成、及び組立手順を、図４から図８を参照して説明する。
【００３７】
図４に示すように、ケース本体２０は、前面が開口した直方体の箱状に形成されており、ケース本体２０の下面には伝送部としての伝送基板１４が配設されている。
また、ケース本体２０の下面裏側から引き込まれた伝送線が伝送基板１４に接続される。
【００３８】
伝送基板１４の側部の一端側には信号入力部のインターフェイスとして接続部２１が設けられている。本実施形態では、接続部２１はシリアル通信のポートであるとともに、伝送基板１４から電源を供給する電源供給部として機能する。また、接続部２１には接続確認手段が設けられており接触不良の状態では電源を供給しない構成となっている。
また、伝送基板１４の側部の略中央には４本の接続ピン１６aからなる設定端子１６が設けられている。
図５は、遠隔制御用監視端末器１０を壁面４０に取付けたときの断面図を示している。
【００３９】
遠隔制御用監視端末器１０は、ケース本体２０と、ケース本体２０に配設された伝送基板１４と、タッチ基板３０、タッチ基板３０の前面側に設けられた操作パネル３１、タッチ基板３０の背面側に設けられたコネクタ部３２、取付枠３３を有するタッチ基板ユニット３４とを主要部として構成されている。
貫通孔が設けられた壁面４０には、中央に長方形状の開口部が設けられた固定枠４１が、開口部の長手方向の両端側をねじ４２によって固定されている。
【００４０】
ケース本体２０には、前面側の開口部を塞ぐように取付カバー２３が取付けられており、ケース本体１１の外周は固定枠４１の開口部とほぼ同寸法に形成されており、固定枠４１の開口部の縁部とケース本体２０の外側とが図示しない係合手段によって係合することによってケース本体２０は固定枠４１の開口部に嵌り込み壁面の貫通孔に配設された状態で固定される。
【００４１】
ここで、タッチ基板ユニット３４とケース本体２０とは、取付枠３３の係合部３３aが取付カバー２３に設けられた係合孔（図示せず）の周部と係合するとともに、コネクタ部３２と伝送基板１４の接続部２１とが電気的及び機械的に接続されることによって固定される。
【００４２】
タッチ基板３０の背面側には、発光色の異なる一対の表示用発光素子１５a、１５bが設けられており、この表示用発光素子１５a、１５bと対向するタッチ基板３０の位置には開口部が設けられており、表示用発光素子１５a、１５ｂから照射された光が操作パネル３１側へ透過可能に構成されている。
【００４３】
図６に示すように、操作部１２はタッチ基板３０、操作パネル３１、操作表示部１２ｂから構成されており、操作表示部１２ｂは、タッチ基板３０と操作パネル３１との間に形成された空間３１aに監視制御対象を印刷した紙を挟みこんでいる。
【００４４】
また、図７に示すように取付枠３３には前面側に開放した切欠を有する凹部３３ｂが設けられており、操作パネル３１およびタッチ基板３０を取付枠３３から取り外すことができる。このように、操作部１２は取付枠３３に着脱自在であるとともに、取付枠３３から容易に取り外しできるように構成されている。
ここで、作業者が、パターンの異なる操作パネル３１、操作表示部１２bの入れ替え作業を行った場合について説明する。
【００４５】
この場合、作業者は、ケース本体２０の設定端子１６に設定器を接続し、この設定器を用いて、操作パネル３１、操作表示部１２bに合わせるように、タッチ基板３０の検出エリアの割り当てを変更し設定する。
【００４６】
これにより、タッチ基板３０の押圧検知領域１２aとパターンの異なる操作パネル３１及び操作表示部１２bを入れ替えて構成した場合でも、タッチ基板３０が、入れ替えられた操作部１２のパターンに対応して設定されるので、操作部１２の押圧操作に応じた操作信号を伝送線２に出力することが可能となる。
【００４７】
また、タッチ基板３０を、可変スイッチとしてのスイッチ機能を割り当てた場合には、遠隔制御用監視端末器１０は、照明負荷の出力を可変させるための操作信号を出力することも可能である。
【００４８】
従って、本実施形態によれば、操作部１２のパターンの異なる操作パネル３１、操作表示部１２bを入れ替えて構成した場合でも、パターンに応じた操作信号を出力することができるので、操作パネル３１以外の部品を共通して用いることができ、遠隔制御用監視端末器１０のコスト低減化を図ることが可能となる。
【００４９】
また、タッチ基板３０を可変スイッチとしてのスイッチ機能を割り当てることも出来るので、消耗品である可変スイッチ等を用いずに可変スイッチを構成でき、よって、耐久性の高い遠隔制御用監視端末器１０の実現が可能となる。
次に図５ないし７を用いて遠隔制御用監視端末器１０の壁面への取付方法について説明する。  
【００５０】
まず、取付カバー２３をケース本体２０に取付けた状態で、ケース本体２０を固定枠２１に取付ける。そして、貫通孔が設けられた壁面にケース本体２０が取付けられた固定枠２１をねじ２２によって固定する。
次に、図５、図６に示すように固定枠２１にプレート１１を取付けた後にユニット化されたタッチ基板ユニット３４を前面側からケース本体２０に取付ける。
このとき、タッチ基板ユニットと伝送基板１４との電気的接続も同時に完了する。
【００５１】
タッチ基板ユニット３４を取り外す場合は、プレート１１を固定枠２１から取外し、タッチ基板ユニット３４をケース本体２０の前面側に引っ張る事で取り外す事ができる。
【００５２】
このように、本願発明では押圧検知部としてタッチ基板３０を用いるタッチパネル方式を用いることによって、押圧検知を信号で処理することができる。このため、操作部１２を固定枠２１に取付けられるケース本体２０とは別体で構成するとともに、ケース本体２０に対して着脱自在なユニットとすることができた。
【００５３】
また、タッチ基板ユニット３４をケース本体２０に対して着脱自在に構成したので、タッチ基板の交換やメンテナンスが容易となるとともにタッチ基板ユニット３４を別の機能のユニットと交換することもできる。
【００５４】
さらに、タッチ基板ユニッ３４は、固定枠２１を壁面に取付けた後に着脱可能であるため、固定枠２１のねじ止めの位置を考慮する必要が無く、操作部１２の範囲を広げることができる。
【００５５】
つまり、従来の操作スイッチであれば固定枠２１にスイッチ装置を取付けた後に固定枠２１を壁面にねじ止めを行うため、固定枠２１のねじ孔と対向する位置にはスイッチ装置の一部を設けることができず、実質的に操作部１２の範囲は固定枠の開口部よりも狭いのが現状であった。
【００５６】
これに対して、本願発明では、図８に示すように固定枠２１のねじ孔４１aと対向する位置にもタッチ基板３０を配設することができ、つまり操作部１２の面積を拡大することができ、操作部１２の操作性を向上させることができる。また、監視端末器の操作部は監視制御対象を示す標識としての機能も果たすものであり、操作部の面積拡大によって操作対象を使用者に確実に認識させることができるという効果もある。
【００５７】
なお、本願発明に係る遠隔制御用監視端末器１０は、中央処理装置１からの伝送線２に、各種端末器、センサ端末器、人感センサ等が接続される遠隔監視制御システムに適用することができ、またこれに限定されることはなく、通常室内に設置された照明負荷を点灯制御又は消灯制御するための壁スイッチ等にも適用可能である。
【００５８】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００５９】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６０】
【図１】遠隔制御用監視端末器を有する遠隔監視制御システムの全体的構成図。
【図２】遠隔制御用監視端末器の正面図。
【図３】遠隔制御用監視端末器の電気的な回路構成を示すブロック図。
【図４】遠隔制御用監視端末器のケース本体の説明図。
【図５】遠隔制御用監視端末器を長手方向の側方から見たときの断面図。
【図６】遠隔制御用監視端末器の組立工程を説明するための説明図。
【図７】遠隔制御用監視端末器の組立工程を説明するための説明図。
【図８】固定枠とタッチ基板との取付け位置を示す説明図。
【符号の説明】
【００６１】
１０…遠隔制御用監視端末器
１２a…押圧検知領域
１４…伝送部としての伝送基板
２０…ケース本体
２１…接続部
３０…タッチ基板
３１…操作パネル
３２…コネクタ部
３４…タッチ基板ユニット
【図１】
2010080274.tif 000003
【図２】
2010080274.tif 000004
【図３】
2010080274.tif 000005
【図４】
2010080274.tif 000006
【図５】
2010080274.tif 000007
【図６】
2010080274.tif 000008
【図７】
2010080274.tif 000009
【図８】
2010080274.tif 000010